(57)【要約】【課題】  異なる口部の径を有する複数のボトル、あるいは水薬供給ボトルに対応することで種類を少なくして管理を容易に行い得るボトルのキャップおよび水薬供給ボトル用のキャップの提供。【解決手段】  ボトルの口部に上方から嵌合されて口部の外周面を含んで口部を外側から覆うように装着される下側開放のキャップであって、内周面に、下方が上方に比べて小径に形成されて口部に装着した際に小径側がボトルの外周面に弾性的に接触する接触部が設けられている構成。【選択図】  図３
2008056290.tif 000002
【特許請求の範囲】
【請求項１】
ボトルの口部に上方から嵌合されて口部の外周面を含んで口部を外側から覆うように装着される下側開放のキャップであって、
内周面に、下方が上方に比べて小径に形成されて口部に装着した際に小径側がボトルの外周面に弾性的に接触する接触部が設けられていることを特徴とするボトルのキャップ。
【請求項２】
水薬を患者に供される水薬ボトルに供給するための供給管の挿通孔を有し、水薬を収容した水薬供給ボトルの口部に上方から嵌合されて口部の外周面を含んで口部を外側から覆うように装着される下側開放のキャップであって、
内周面に、下方が上方に比べて小径に形成されて口部に装着した際に小径側が水薬供給ボトルの外周面に弾性的に接触する接触部が設けられていることを特徴とする水薬供給ボトル用のキャップ。
【請求項３】
水薬を患者に供される水薬ボトルに供給するための供給管の挿通孔を有し、水薬を収容した水薬供給ボトルの口部に上方から嵌合されて口部の外周面を含んで口部を外側から覆うように装着される下側開放のキャップであって、
前記口部の外周面に径方向外方から接触する接触部が内周面に設けられ、下端部が口部の外周面から径方向外方に突出するよう形成された鍔部に上方から当接する下位当接部とされ、該下位当接部とは別に、鍔部に当接する上位当接部が内周面途中の径方向内方に向けて突出して設けられていることを特徴とする水薬供給ボトル用のキャップ。
【請求項４】
内周面は、上下方向途中にあるひとつの上位当接部を介して連続した上内周面および下内周面を有し、上内周面および下内周面それぞれにおいて、下方は上方に比べて順次小径になる異径断面に形成されていることを特徴とする請求項３記載の水薬供給ボトル用のキャップ。
【請求項５】
少なくとも接触部が弾性を有して、径方向に伸縮可能に形成されていることを特徴とする請求項３または請求項４記載の水薬供給ボトル用のキャップ。
【請求項６】
上位当接部は径方向を含む面内に形成された環状の段付面によって構成され、該段付面を介して内周面の上部と下部とが連続されており、上部および下部それぞれの上内周面および下内周面において下方が上方に比べて小径に形成されていることを特徴とする請求項３ないし請求項５の何れかに記載の水薬供給ボトル用のキャップ。
【発明の詳細な説明】
【技術分野】
【０００１】
本発明は、例えば、水薬を患者に供される水薬ボトルに供給するための供給管の挿通孔を有し、水薬を収容した水薬供給ボトルの口部に上方から嵌合されて口部の外周面を含んで口部を外側から覆うように装着されるキャップに関する。
【背景技術】
【０００２】
従来から、病院や薬局等の医療機関では、水薬を水薬供給ボトルから患者に供される水薬ボトルに供給するようにした水薬供給装置が使用されている（例えば、下記特許文献１参照）。この種の水薬供給装置では、水薬供給ボトルの口部には供給管が挿通されるキャップが装着されて、水薬ボトルには供給管から水薬供給ボトル内の水薬が供給される。
【特許文献１】特開２００３−３２５６３９号公報
【発明の開示】
【発明が解決しようとする課題】
【０００３】
上記従来の水薬供給装置に用いられる水薬供給ボトルにおいては、薬品会社毎に供給ボトルの口部の径が異なっているという現状がある。したがって、キャップは水薬供給ボトルの口部の径に合致するものを用いる必要があり、したがってキャップの種類が多くなっており、管理が大変である。
このような課題は、水薬供給ボトル用のキャップに限らず、口部の径が画一化されておらないボトルのキャップについても同様であった。
【０００４】
そこで本発明は、上記課題に鑑み、異なる口部の径を有する複数のボトル、あるいは水薬供給ボトルに対応することで種類を少なくして管理を容易に行い得るボトルのキャップおよび水薬供給ボトル用のキャップの提供を課題とする。
【課題を解決するための手段】
【０００５】
本発明は、ボトルの口部に上方から嵌合されて口部の外周面を含んで口部を外側から覆うように装着される下側開放のキャップであって、内周面に、下方が上方に比べて小径に形成されて口部に装着した際に小径側がボトルの外周面に弾性的に接触する接触部が設けられていることを特徴としている。
【０００６】
上記構成のキャップをボトルの口部に上方から嵌合すると、接触部が弾性変形して弾性的にボトルの口部の外周面に径方向外方から接触して口部を確実に覆う（密封する）ようになるから、異なる径の口部を有する複数のボトルにおいて、それらの口部を確実に覆うことができるようになる。
しかも、内周面の下方が上方に比べて小径に形成されている接触部を設けていることで、キャップをボトルの口部に上方から嵌合する際に、内周面の全周面積の一部が口部の外周面と接触することになるから、内周面の全周面積と口部とが接触する場合に比べて、キャップの嵌合に要する力が少なくて済むようになる。
【０００７】
本発明は、水薬を患者に供される水薬ボトルに供給するための供給管の挿通孔を有し、水薬を収容した水薬供給ボトルの口部に上方から嵌合されて口部の外周面を含んで口部を外側から覆うように装着される下側開放のキャップであって、内周面に、下方が上方に比べて小径に形成されて口部に装着した際に小径側が水薬供給ボトルの外周面に弾性的に接触する接触部が設けられていることを特徴としている。
【０００８】
上記構成のキャップを水薬供給ボトルの口部に上方から嵌合すると、接触部が弾性変形して弾性的に水薬供給ボトルの口部の外周面に径方向外方から接触して口部を確実に覆うようになるから、異なる径の口部を有する複数の水薬供給ボトルにおいて、それらの口部を確実に覆うことができるようになる。
しかも、内周面の下方が上方に比べて小径に形成されている接触部を設けていることで、キャップを水薬供給ボトルの口部に上方から嵌合する際に、内周面の全周面積の一部が口部の外周面と接触することになるから、内周面の全周面積と口部とが接触する場合に比べて、キャップの嵌合に要する力が少なくて済むようになる。
【０００９】
本発明は、水薬を患者に供される水薬ボトルに供給するための供給管の挿通孔を有し、水薬を収容した水薬供給ボトルの口部に上方から嵌合されて口部の外周面を含んで口部を外側から覆うように装着される下側開放のキャップであって、前記口部の外周面に径方向外方から接触する接触部が内周面に設けられ、下端部が口部の外周面から径方向外方に突出するよう形成された鍔部に上方から当接する下位当接部とされ、該下位当接部とは別に、鍔部に当接する上位当接部が内周面途中の径方向内方に向けて突出して設けられていることを特徴としている。
【００１０】
上記構成のキャップを水薬供給ボトルの口部に上方から嵌合すると、接触部が口部の外周面に径方向外方から接触するとともに、口部の径に応じてその水薬供給ボトルの口部の外周面に形成された鍔部が、キャップの下端部である下位当接部または内周面の途中に形成されている上位当接部に当接して、水薬供給ボトルの口部が覆われることになる。
【００１１】
本発明の水薬供給ボトル用のキャップでは、内周面は、上下方向途中にあるひとつの上位当接部を介して連続した上内周面および下内周面を有し、上内周面および下内周面それぞれにおいて、下方は上方に比べて順次小径になる異径断面に形成されていることを特徴としている。
【００１２】
上記構成のキャップを水薬供給ボトルの口部に上方から嵌合すると、接触部が口部の外周面に径方向外方から接触するするとともに、その水薬供給ボトルの口部の外周面に形成された鍔部が、キャップの下端部である下位当接部または内周面の途中にひとつ形成されている上位当接部に当接して、水薬供給ボトルの口部が覆われることになる。
【００１３】
本発明の水薬供給ボトル用のキャップは、少なくとも接触部が（弾性を有して）、径方向に伸縮可能に形成されていることを特徴としている。
【００１４】
上記構成のキャップによれば、キャップを水薬供給ボトルの口部に装着した際に接触部が口部の径に応じて弾性変形して、口部の外周面に径方向から接触することになる。
【００１５】
本発明の水薬供給ボトル用のキャップでは、上位当接部は径方向を含む面内に形成された環状の段付面によって構成され、該段付面を介して内周面の上部と下部とが連続されており、上部および下部それぞれの上内周面および下内周面において下方が上方に比べて小径に形成されていることを特徴としている。
【００１６】
上記構成のキャップを水薬供給ボトルの口部に上方から嵌合すると、接触部が口部の外周面に径方向外方から接触するするとともに、口部の径に応じてその水薬供給ボトルの口部の外周面に形成された鍔部が、キャップの下位当接部または上位当接部に当接し、内周面の上部または下部が水薬供給ボトルの口部の外周面に径方向外方から接触して、水薬供給ボトルの口部が覆われることになる。
【００１７】
しかも、上部および下部それぞれの上内周面および下内周面は、下方が上方に比べて小径に形成されていることで、キャップを水薬供給ボトルの口部に上方から嵌合する際に、内周面の全周面積の一部が口部の外周面と接触することになるから、内周面の全周面積と口部とが接触する場合に比べて、キャップの嵌合に要する力が少なくて済む。
【発明の効果】
【００１８】
本発明のキャップによれば、内周面に、下方が上方に比べて小径に形成されて口部に装着した際に小径側がボトルの外周面に弾性的に接触する接触部が設けられているから、ボトルの口部に上方から嵌合すると、接触部が弾性変形して弾性的にボトルの口部の外周面に径方向外方から接触して口部を確実に覆う（密封する）ようになり、異なる径の口部を有する複数のボトルにおいて、それらの口部を確実に覆うことができる。
【００１９】
また、本発明の水薬供給ボトル用のキャップによれば、内周面に、下方が上方に比べて小径に形成されて口部に装着した際に小径側が外周面に弾性的に接触する接触部が設けられているから、キャップを水薬供給ボトルの口部に上方から嵌合すると、接触部が弾性変形して弾性的に水薬供給ボトルの口部の外周面に径方向外方から接触して口部を確実に覆う（密封する）ようになるから、異なる径の口部を有する複数の水薬供給ボトルにおいて、それらの口部を確実に覆うことができる。
【発明を実施するための最良の形態】
【００２０】
以下、本発明に係るキャップを、水薬供給装置に設置される水薬供給ボトル（以下単に「供給ボトル」という）を例に、図面に基づいて説明する。
【００２１】
図１は本発明の実施形態を示すキャップの上方からの斜視図、図２は下方からの斜視図、図３は径方向での縦断面図、図４および図５は使用状態を示す断面図、図６および図７はそれぞれ水薬供給装置の一部斜視図である。
【００２２】
これらの図に示すように、キャップ２５は、水薬２を患者に供される水薬ボトル４に供給するための水薬供給管（以下単に「供給管」という）２１を挿通する供給管挿通孔２６を有し、水薬２を収容・充填した供給ボトル３の口部２７に上方から嵌合されて口部２７の外周面２８を含んで口部２７を外側から覆うべく装着可能なように下側開放形状に形成されている。
【００２３】
すなわちキャップ２５は、小径の上本体部３０と上本体部３０に比べて大径の下本体部３１とから一体形成されている。上本体部３０は、円盤状に形成された天板部３２と天板部３２の外周部から下方に延設される環状の小径円筒部３３とが一体的に形成されてなる。
【００２４】
下本体部３１は上本体部３０の小径円筒部３３の下端部から径方向外方へ向けて環状に突出する段付き環状部３４と、段付き環状部３４の径方向外方端部から下方に延設される環状の大径円筒部３５とが一体的に形成されてなる。
【００２５】
天板部３２の中心には、該天板部３２を上下方向に貫通する前記供給管挿通孔２６が形成されている。供給管挿通孔２６の径方向外方位置に、空気孔３５ａが形成されている。この場合、空気孔３５ａは供給管挿通孔２６に比べて小径に形成されている。また、空気孔３５ａはその全域が供給ボトル３の口部２７の開口３６に上下方向で対向している位置にあることが好ましい。
【００２６】
ここで、キャップ２５の内周面形状について説明する。キャップの内周面形状は、下方が上方に比べて小径に形成されて、口部２７に装着した際に小径側が供給ボトル３の口部２７の外周面に弾性的に接触する接触部３７ａ，３７ｂが設けられている。
【００２７】
さらに具体的に、キャップ２５の内周面は、それぞれ異径に形成された上内周面３８および下内周面４０を有する。上内周面３８および下内周面４０それぞれにおいて、下方は上方に比べて順次小径になる異径断面（円錐面）に形成されている。
【００２８】
上内周面３８と下内周面４０とは、上下方向途中にあるひとつの上位当接部４１を介して連続しており、上位当接部４１は、径方向を含む面内に形成された環状の段付面によって構成されている。この場合、上内周面３８の最大径ｄ１（下開放径）は、下内周面４０の最小径ｄ２に比べてわずかに小さく設定されている。なお、上内周面３８および下内周面４０の内径の変化は、キャップ２５の肉厚を変更することで前記異径断面となっている。
【００２９】
下本体部３１の下端部は環状面とされており、この環状面は下位当接部４３として用いられる。前記上位当接部４１、下位当接部４３は、それぞれ供給ボトル３の口部２７の外周面から径方向外方に突出するよう形成された鍔部４２に（上方から）当接する部分である。鍔部４２が当接する当接部を上位当接部４１とするか、下位当接部４３とするかは、供給ボトル３の口部２７の径によることになる。
【００３０】
キャップ２５は全体が弾性を有する材料、例えばシリコンゴムにより形成されている。すなわち、上下方向および径方向に弾性的に伸縮可能である。
【００３１】
ここで、水薬供給装置１の概略構成を説明する。水薬供給装置１は、患者に対して処方される水薬２を、処方箋に応じるべく予め準備している必要な水薬２を収容した供給ボトル３から供給管２１を用いて水薬２を導出して、患者に必要な水薬２を収容した水薬ボトル４として患者に供給するためのものである。
【００３２】
水薬供給装置１は、供給ボトル３を載置する載置体５が本体６の天板７側に吊持された構成を有し、また、水薬ボトル４を載置する載置台２４を有する。なお、供給ボトル３は、大径の胴部３Ａの上部に順次上方へ向けて縮径する肩部３Ｂを一体形成しており、肩部１３Ｂの上部に同一円形断面の前記口部２７が形成されており、口部２７の下部に径方向外方に突出する環状の鍔部４２が一体的に形成されているものである。
【００３３】
符号１８は、載置体５に周方向に所定間隔置きに配置される供給ボトル３毎に設けられる供給ポンプである。符号１７は、本体６内に配置される前記載置体５と載置体５を吊持する吊持手段１５を含めて載置体５を上下方向軸線１６回りに間欠的に回転駆動させるための回転駆動部である。また、図示しないが水薬供給装置１は、選択された供給ボトル３に対応する供給ポンプ１８を駆動するためのポンプ駆動部を有する。
【００３４】
上記構成の水薬供給装置１における供給ボトル３の口部２７にはキャップ２５が装着されており、キャップ２５の供給管挿通孔２６には供給管２１が挿通されており、ポンプ駆動部の駆動によって、供給ポンプ１８を駆動させて、水薬２を供給管２１から、予め載置台２４に載置した水薬ボトル４に水薬２を供給することになる。
【００３５】
供給ボトル３は、そのサイズや口部２７の径が異なるものが使用される場合がある。ところで、本発明の実施形態におけるキャップ２５を供給ボトル３の口部２７に装着する際、作業者がキャップ２５を手指で把持して使用する供給ボトル３の口部２７（円筒状に形成されている）に装着すると、キャップ２５は供給ボトル３の口部２７の径に対応するよう弾性変形して供給ボトル３の口部２７を封止するようになる。
【００３６】
例えば、図４に示すように、口部２７の径が、キャップ２５の下開放径、すなわち下本体部３１の下開放径（ｄ２）より大きい場合では、キャップ２５を口部２７の上方から押込むようにして取付けると、キャップ２５の下本体部３１の内周面下部が接触部３７ａとなって、口部２７の外周部から受ける径方向外方への押圧力によって、径方向外方に拡径するように弾性変形するから、キャップ２５を弾性変形させるほどの力で口部２７が挿入されることになる。
【００３７】
そして、供給ボトル３の鍔部４２の上面４２ａがキャップ２５の下位当接部４３に下方から当接し、しかも変形したキャップ２５のその変形部分の弾性復元力により径方向内方に押圧されて、キャップ２５は供給ボトル３の口部２７に確実に取付けられて保持されることになる。
【００３８】
しかも、下内周面４０は上方に向かうほど大径のテーパー面となっているから、同一円筒状断面の口部２７の外周面は、下内周面４０の上方では下内周面４０に接触しにくいから、その分だけ口部２７の外周面と下内周面４０との接触面積は小さくなり、したがってキャップ２５の装着に際して、小さい力で装着を行うことができる。
【００３９】
例えば、図５に示すように、口部２７の径が、キャップ２５の下開放径、すなわち上本体部３０（下本体部３１）の下開放径（ｄ１）よりより大きく下本体部３１の下開放径（ｄ２）より小さい場合では、キャップ２５を口部２７の上方から取付けると、供給ボトル３の口部２７がキャップ２５の内径側に入り込み、キャップ２５の上本体部３０の内周面下部が接触部３７ｂとなって、口部２７の外周部から受ける径方向外方への押圧力によって径方向外方に拡径するように弾性変形するから、キャップ２５の上本体部３０の内周面下部を弾性変形させるほどの力で口部２７が挿入されることになる。
【００４０】
そして、供給ボトル３の鍔部４２の上面４２ａがキャップ２５の上位当接部４１に下方から当接し、しかも変形したキャップ２５の変形部分の弾性復元力により径方向内方に押圧されて、キャップ２５は供給ボトル３の口部２７に確実に取付けられて保持されることになる。
【００４１】
しかも、上内周面３８は上方に向かうほど大径のテーパー面となっているから、同一円筒状断面の口部２７の外周面は、上内周面３８の上方では上内周面３８に接触しにくいから、その分だけ口部２７の外周面と上内周面３８との接触面積は小さくなり、したがってキャップ２５の装着に際して、小さい力で装着を行うことができる。
【００４２】
なお、図４に示した場合では、供給ボトル３の口部２７の寸法に合わせて、鍔部４２の上面４２ａから口部２７の上端面２７ａまでの距離ｈ１を、上位当接部４１から天板部３２の下面３２ａまでの距離ｈ２と略等しく設定している。図５に示した場合では、供給ボトル３の口部２７の寸法に合わせて、鍔部４２の上面４２ａから口部２７の上端面２７ａまでの距離ｈ１を、下位当接部４３から上位当接部４１までの距離ｈ３と略等しく設定している。
【００４３】
上記実施形態では、キャップ２５を小径の上本体部３０と上本体部３０比べて大径の下本体部３１のふたつの領域から形成しているがこれに限定されるものではない。すなわち、上部ほど内径の平均径を小さくした三つあるいはそれ以上の複数の領域から形成するようにして、さらに多くの異なる径を有する供給ボトル３の口部２７に対応できるようにすることも可能である。
【００４４】
この場合であっても、各領域の内周面下部に、供給ボトル３の口部２７の外周面に径方向外方から弾性的に当接する当接部を形成しておくことにより、キャップ２５を供給ボトル３の口部２７に装着した際に、当接部の弾性力により、キャップ２５が口部２７に確実に取付けられることになる。
なお、図示しないが、空気孔３５ａの位置は上記実施形態に限定されるものではなく、例えば、上本体部３０の小径円筒部３３に径方向に貫通するよう形成することもできる。
【図面の簡単な説明】
【００４５】
【図１】本発明の実施形態を示すキャップの上方からの全体斜視図
【図２】同じくキャップの下方からの全体斜視図
【図３】同じくキャップの中央縦断面図
【図４】同じくキャップの使用状態の一例を示す断面図
【図５】同じくキャップの使用状態の他の例を示す断面図
【図６】同じく水薬供給装置の下部を省略した正面図
【図７】同じく水薬供給装置の載置台を中心として描いた一部省略斜視図
【符号の説明】
【００４６】
１…水薬供給装置、２…水薬、３…供給ボトル、４…水薬ボトル、１８…供給ポンプ、２１…供給管、２４…載置台、２５…キャップ、２６…供給管挿通孔、２７…口部、２７ａ…上端面、３０…上本体部、３１…下本体部、３２…天板部、３２ａ…下面、３７ａ…接触部、３８…上内周面、４０…下内周面、４２…鍔部、４２ａ…上面、４３…下位当接部
【図１】
2008056290.tif 000003
【図２】
2008056290.tif 000004
【図３】
2008056290.tif 000005
【図４】
2008056290.tif 000006
【図５】
2008056290.tif 000007
【図６】
2008056290.tif 000008
【図７】
2008056290.tif 000009